(57)【要約】      （修正有）【課題】全ての基盤状の交差構造に取って代わり、材料節約とコスト削減に役立つ橋脚土台を構成する横梁鉄筋構造を提供する。【解決手段】本横梁鉄筋構造１００は、少なくとも１つの薄肉コンクリート構造２００、鉄筋籠構造３００、梁柱固定ユニット４００からなる。軽量化された横梁鉄筋構造によって、迅速な運搬で運送コストを節減すると共に、施工に便利で施工期間を短縮することができる。【選択図】図１Ａ
0003152134.tif 000002
【実用新案登録請求の範囲】
【請求項１】
橋脚土台を構成する横梁鉄筋構造であって、
厚みが３ｃｍ乃至５０ｃｍの間にある、少なくとも１つの薄肉コンクリート構造と、
一層又は二層以上の鉄筋籠を含み、前記薄肉コンクリート構造に設置される鉄筋籠構造と、
複数本の主筋が円形状に取り囲んで前記鉄筋籠構造に設置される梁柱固定ユニット、からなることを特徴とする橋脚土台を構成する横梁鉄筋構造。
【請求項２】
前記主筋を取り囲む螺旋状あばら筋をさらに含むことを特徴とする請求項１に記載する横梁鉄筋構造。
【請求項３】
、
杭基礎及露出した複数本の鉄筋をさらに含み、前記鉄筋は円形状に取り囲んで前記鉄筋籠構造に接続して前記杭基礎を固定させることを特徴とする請求項１に記載する横梁鉄筋構造。
【請求項４】
固定部材をさらに含み、前記薄肉コンクリート構造は前記固定部材で接続することを特徴とする請求項１に記載する横梁鉄筋構造。
【考案の詳細な説明】
【技術分野】
【０００１】
本考案は、横梁鉄筋構造に関するものである；具体的には、本考案は土台を構成するのに用いられる横梁鉄筋構造に関する。
【背景技術】
【０００２】
従来の建築構造の基礎土台の多くは、全ての碁盤状の交差する鉄筋コンクリート構造であり、土台の鉄筋構造にとっては、その大半が縦主筋と複数個の主筋を帯筋するあばら筋を有し、複数本の主筋は交差して設置され、碁盤状の交差構造になる。
【０００３】
公知の基礎土台は安定を求められ、通常コストを考慮せずに大きいだけで役に立たない鉄筋構造を設計する。運送しにくいのみならず、同時に工事現場での施行の難度も増加する。このため、本考案は、上述の欠点を改善及び解決するために、学術理論の運用を深慮、研究かつ適合させ、設計が合理的でかつ有効的に上述の欠点を改善できる本考案を提出する。
【考案の概要】
【考案が解決しようとする課題】
【０００４】
本考案の主要目的は、土台を構成する横梁鉄筋構造を提出し、横梁鉄筋構造を用いて全ての碁盤状の交差構造に取って代わり、材料節約とコスト削減に役立つことにある。
本考案のもうひとつの目的は、土台を構成する横梁鉄筋構造を提供し、運送しやすく工事施行に役立つことにある。
【課題を解決するための手段】
【０００５】
本考案の横梁鉄筋構造は、少なくとも１つの薄肉コンクリート構造、鉄筋籠構造、梁柱固定ユニットを含む。そのうち、鉄筋籠構造は薄肉コンクリート構造内に設置され、梁柱固定ユニットが鉄筋籠構造内に設置されるのに役立つ。本考案の横梁鉄筋構造は主に薄肉コンクリート構造によって構成されるので、運送面では、横梁鉄筋構造が重すぎるという理由で運送コストが増加することはない。薄肉コンクリートの構造は安定しており、重量もちょうど良いため、工事現場で施行する時、マン・アワー及び労働力の需要を節約できる。このほか、本考案の横梁鉄筋構造は、精密な計算によって適切なコンクリート全体構造を設計すれば、特定の構造形状さえあれば、一定構造の安定を維持できる。
【図面の簡単な説明】
【０００６】
【図１Ａ】本考案の横梁鉄筋構造の実施例の概略図；
【図１Ｂ】本考案の横梁鉄筋構造の実施例の完成概略図；
【図２Ａ】図１Ａの変更実施例の概略図；
【図２Ｂ】図１Ａの変更実施例の完成概略図；
【図３Ａ】図１Ａのその他の実施例の概略図；
【図３Ｂ】図１Ａのその他の実施例の完成概略図；
【図４Ａ】図１Ａの異なる実施例の概略図；
【図４Ｂ】図１Ａの異なる実施例の完成概略図。
【考案を実施するための形態】
【０００７】
以下、添付図面を参照して本考案の実施の形態を詳細に説明する。
【実施例】
【０００８】
本考案の土台を構成するのに用いられる横梁鉄筋構造は、工場の建物、オフィスビル、橋脚、崩れやすい道路、支柱などの構造の各種構造体の土台に適用できる。
【０００９】
図１Ａの実施例で示すように、横梁鉄筋構造１００は、少なくとも１つの薄肉コンクリート構造２００、鉄筋籠構造３００、及び梁柱固定ユニット４００を含む。この実施例では、薄肉コンクリート構造２００は三角形のような形を呈するが、その実施例での形状はこれに制限されるものではない。この他、薄肉コンクリート構造２００の厚さは３ｃｍから５０ｃｍの間が好ましいが、異なる設計の需要に応じて適当に調整できる。図１Ａで示す鉄筋籠構造３００は、上下二層の鉄筋籠によって構成され、そのうち、上層の鉄筋籠は縦筋と横筋から構成される。しかし、その他の実施例（図不提示）では、鉄筋籠構造３００は、上層または下層の単層の鉄筋籠構造だけからでも構成され得る。つまり、鉄筋籠構造３００は単層の鉄筋籠構造のみを含むこともできる。鉄筋籠が単層のみである時、梁柱固定ユニット４００は更に設置や固定に便利で、マン・アワーを短縮できる。しかし、その他の実施例（図不提示）では、鉄筋籠構造３００は多層の鉄筋籠構造を含むことができる。多層の鉄筋籠を有するため、横梁鉄筋構造１００全体では更に安定するが、マン・アワーと鉄筋コストを消耗する。長距離輸送する必要がある際には、多層の鉄筋籠構造は単層の鉄筋籠より安定する。
【００１０】
図１Ａ及び図１Ｂの実施例で示すように、梁柱固定ユニット４００はこの実施例では、１２本（複数本）の主要鉄筋４１０（または主筋）によって構成される；しかしその他の実施例では、主筋４１０の数は１２本に制限されるわけではない。一般的に、主筋４１０の高さは、薄肉コンクリート構造２００の高さより高いほうが好ましい；しかしその他の実施例では、當主筋４１０が鉄筋續接器の連続孔（図不提示）にとって代わられる時、連続孔の高さは主筋４１０の高さより低いほうが好ましい。この実施例では、梁柱固定ユニット４００の複数本の主筋４１０が取り巻く形状は円形状をなす；しかし、その他の実施例では、複数本の主筋４１０が取り巻く形状は円形に制限されず、その他梁柱鉄筋構造１００に適応できる形状でもよい。
【００１１】
図１Ａで示すように、横梁鉄筋構造１００は更に螺旋状あばら筋４２０を含む。螺旋状あばら筋４２０は１２本の主筋４１０が形成する梁柱固定ユニット４００を取り巻くため、螺旋状あばら筋４２０は、梁柱固定ユニット４００に一層安定した結合強度をもたらし、梁柱と梁柱固定ユニット４００の接合の剛性を強める。注意すべきなのは、椿柱（図不提示）が露出する複数本の鉄筋５１０は下層の鉄筋籠構造３００を突っ切って挿入でき、これら鉄筋５１０は鉄筋籠構造３００に接続でき、杭基礎を固定する。ここで述べる接続方式は、螺合、鉄筋の括り付け、溶接、リベット締めや接続器固定方式などを含むが、これに制限されるものではない。図１Ａの実施例で示すように、複数本の鉄筋５１０は円形状に取り巻くが、この形状に制限されるものではない。この実施例では、複数本の鉄筋５１０の高さは薄肉コンクリート構造２００の高さの約半分である。セメントを流し込み乾燥させた後、横梁鉄筋構造１００は図１Ｂで示す実施例のようになる。
【００１２】
図２Ａの実施例で示すように、横梁鉄筋構造１００の構造はＴ字形で、この実施例では、鉄筋籠構造は横鉄筋籠と縦鉄筋籠から組成される。一般的に、梁柱固定ユニット４００は、横鉄筋籠と縦鉄筋籠が交差する上縁地に位置する。つまり、梁柱固定ユニット４００は横鉄筋籠と縦鉄筋籠が交差する場所に定位されるわけではない。しかし、その他の変更実施例では、梁柱固定ユニット４００はまた上述の交差場所に設置され得る。その余りの結構と図１Ａ及び図１Ｂの実施例は相似している。設置、定位し、セメントを流し込んだ後、横梁鉄筋構造１００は図２Ｂで示すような結構を形成する。この時、梁柱固定ユニット４００は複数本の突出した主筋４１０を含む。
【００１３】
図３Ａで示す変更実施例では、横梁鉄筋構造１００は四組の門型薄肉コンクリート構造２００を含む。この実施例では、横梁鉄筋構造１００は更に固定部材６００を含み、門型薄肉コンクリート構造２００は固定部材６００を利用して接続する。ここで言う接続は、ボルト、リベット固定、溶接、括り付けなどを含むが、これに制限されず、相似の接続方式も提供できる。この十字型鉄筋籠実施例では、梁柱固定ユニット４００は、横鉄筋と縦鉄筋の交差場所に定位される。横梁鉄筋構造１００がモルタルを流し込んで定型させた後、図３Ｂで示すように、数本の露出された主筋は梁柱固定ユニット４００を形成する。
【００１４】
図４Ａで示す実施例では、横梁鉄筋構造１００と図１Ａの実施例の結構は相似しており、ただその形状は正方形である。この実施例では、横梁鉄筋構造１００は杭７００の上に設置され、杭７００の鉄筋５１０は下層の鉄筋籠構造３００を突っ切り、杭７００と横梁鉄筋構造１００を接続させる。セメントを流し込んだ後、横梁鉄筋構造１００は図４Ｂで示すような構造を形成する。
【符号の説明】
【００１５】
１００  横梁鉄筋構造
２００  薄肉コンクリート構造
３００  鉄筋籠構造
４００  梁柱固定ユニット
４１０  主要鉄筋、主筋
４２０  螺旋状あばら筋
５１０  鉄筋
６００  固定部材
７００  杭
【図１Ａ】
0003152134.tif 000003
【図１Ｂ】
0003152134.tif 000004
【図２Ａ】
0003152134.tif 000005
【図２Ｂ】
0003152134.tif 000006
【図３Ａ】
0003152134.tif 000007
【図３Ｂ】
0003152134.tif 000008
【図４Ａ】
0003152134.tif 000009
【図４Ｂ】
0003152134.tif 000010
【手続補正書】
【提出日】平成21年5月14日(2009.5.14)
【手続補正１】
【補正対象書類名】実用新案登録請求の範囲
【補正対象項目名】請求項３
【補正方法】変更
【補正の内容】
【請求項３】
杭基礎及露出した複数本の鉄筋をさらに含み、前記鉄筋は円形状に取り囲んで前記鉄筋
籠構造に接続して前記杭基礎を固定させることを特徴とする請求項１に記載する横梁鉄筋
構造。